(57)【要約】【課題】自動車車内において楽曲を高音質に聴取可能な「ポータブルオーディオシステム」を提供する。【解決手段】ポータブルオーディオシステム１の出力音データ生成部１１０７は、オーディオソース１１０５が出力したオーディオデータから、低域をカットした主オーディオデータと、中高域をカットした副オーディオデータとの２系統のオーディオデータを生成し、主オーディオデータが表すサウンドを、アンプ１１０３を介して内蔵スピーカ１１０４から出力すると共に、無線伝送装置１１０２を介してポータブルスピーカ１２に無線伝送し、ポータブルスピーカ１２から出力する。また、出力音データ生成部１１０７は、副オーディオデータを近距離無線通信装置１１０１を介して、カーオーディオシステム２の本体装置２１に送信する。カーオーディオシステム２は、受信した副オーディオデータが表すサウンドを車載スピーカ２２から出力する。【選択図】図１
2019186772.tif 000002
【特許請求の範囲】
【請求項１】
車載通信装置と車載スピーカとを備えると共に前記車載通信装置で受信したオーディオデータのサウンドを前記車載スピーカから出力可能なカーオーディオシステムが搭載された自動車に持ち込み可能なポータブルオーディオシステムであって、
前記車載通信装置に通信接続可能なポータブル通信手段と、
ポータブルスピーカと、
前記ポータブル通信手段と前記車載通信装置とが通信接続しているときに、オーディオデータから、当該オーディオデータが表すサウンドの低域の周波数成分をカットしたサウンドを表す主オーディオデータと、当該オーディオデータが表すサウンドの中高域の周波数成分をカットしたサウンドを表す副オーディオデータを生成し、主オーディオデータが表すサウンドを前記ポータブルスピーカから出力し、前記副オーディオデータを前記通信接続を介して前記車載通信装置に送信する出力制御手段とを有することを特徴とするポータブルオーディオシステム。
【請求項２】
車載通信装置と車載スピーカとを備えると共に前記車載通信装置で受信したオーディオデータのサウンドを前記車載スピーカから出力可能なカーオーディオシステムが搭載された自動車に持ち込み可能なポータブルオーディオシステムであって、
前記車載通信装置に通信接続可能なポータブル通信手段と、
ポータブルスピーカと、
前記ポータブル通信手段と前記車載通信装置とが通信接続しているときに、オーディオデータから、当該オーディオデータが表すサウンドの所定周波数以下の周波数成分を減衰したサウンドを表す主オーディオデータと、当該オーディオデータが表すサウンドの前記所定周波数超の周波数成分を減衰したサウンドを表す副オーディオデータを生成し、主オーディオデータが表すサウンドを前記ポータブルスピーカから出力し、前記副オーディオデータを前記通信接続を介して前記車載通信装置に送信する出力制御手段とを有することを特徴とするポータブルオーディオシステム。
【請求項３】
請求項２記載のポータブルオーディオシステムであって、
マイクロフォンを備え、
前記通信接続を介して所定のテスト用オーディオデータを送信すると共に、前記車載スピーカから出力されるテスト用オーディオデータが表すサウンドをマイクロフォンでピックアップして、前記テスト用オーディオデータと当該ピックアップしたサウンドとに基づいて前記カーオーディオシステムの再生周波数特性を検出し、検出した再生周波数特性に応じて、当該ポータブルオーディオシステムにおいて前記ポータブルスピーカから出力した場合よりも、良好に前記カーオーディオシステムが出力できる低域成分のみが前記所定周波数以下の可聴周波数領域に含まれるように前記所定周波数を設定する設定手段を有することを特徴とするポータブルオーディオシステム。
【請求項４】
請求項１、２または３記載のポータブルオーディオシステムであって、
前記出力制御手段は、前記ポータブル通信手段と前記車載通信装置とが通信接続していないときには、前記オーディオデータが表すサウンドの全域を前記ポータブルスピーカから出力することを特徴とするポータブルオーディオシステム。
【請求項５】
請求項１、２、３または４記載のポータブルオーディオシステムであって、
マイクロフォンと、
前記マイクロフォンでピックアップしたサウンドに基づいて、前記車載スピーカから出力されるサウンドの、前記ポータブルスピーカから出力されるサウンドに対する遅延時間を算出する遅延時間算出手段とを備え、
前記出力制御手段は、主オーディオデータが表すサウンドを、前記遅延時間算出手段が算出した前記遅延時間分、遅延させて前記ポータブルスピーカから出力することを特徴とするポータブルオーディオシステム。
【請求項６】
請求項１、２、３、４または５記載のポータブルオーディオシステムであって、
前記オーディオデータを出力するオーディオソースを備えていることを特徴とするポータブルオーディオシステム。
【請求項７】
請求項１、２、３、４または５記載のポータブルオーディオシステムであって、
外部機器から前記オーディオデータを受信する第２通信手段を備えていることを特徴とするポータブルオーディオシステム。
【請求項８】
請求項１、２、３、４、５、６または７記載のポータブルオーディオシステムと前記カーオーディオシステムを備えていることを特徴とする複合オーディオシステム。
【発明の詳細な説明】
【技術分野】
【０００１】
本発明は、自動車に搭載されたオーディオシステムの利用に関するものである。
【背景技術】
【０００２】
自動車に搭載されたオーディオシステムとしては、楽曲の再生機能を備えたポータブル装置と無線通信で接続し、無線通信を介してポータブル装置から転送された楽曲を当該オーディオシステムが備えるスピーカから出力するオーディオシステムが知られている（たとえば、特許文献１）。
【先行技術文献】
【特許文献】
【０００３】
【特許文献１】特開２００９-０１７１１９号公報
【発明の概要】
【発明が解決しようとする課題】
【０００４】
上述したような、自動車に搭載され、無線通信を介してポータブル装置から転送された音楽をスピーカから出力するオーディオシステムによれば、ユーザは、ポータブル装置に保存してある楽曲を自動車のスピーカを利用して聴取することができるようになる。
【０００５】
しかし、この場合、ユーザが聴取できる楽曲の音質は、自動車に搭載されたオーディオシステムの音質に制限されることとなるため、低音質のオーディオシステムが搭載された自動車では、ユーザは、低音質で楽曲を聴取することを甘受しなければならなくなる。なお、特に、レンタカーやシェアカーなどでに搭載されるオーディオシステムは、比較的安価な、中高域の出力性能の低いオーディオシステムであることが多い。
【０００６】
また、一方、自動車に搭載されたオーディオシステムを利用せずに、ポータブル装置のスピーカから音楽を出力するようにした場合には、ポータブル装置のスピーカはポータブルであることによるサイズ上の制限から低域の出力性能が低いため、やはり、充分に高音質な楽曲を聴取することができない。
【０００７】
そこで、本発明は、自動車に搭載されたオーディオシステムを利用して、ポータブルな装置を音源とする楽曲を、より高音質に聴取可能とすることを課題とする。
【課題を解決するための手段】
【０００８】
前記課題達成のために、車載通信装置と車載スピーカとを備えると共に前記車載通信装置で受信したオーディオデータのサウンドを前記車載スピーカから出力可能なカーオーディオシステムが搭載された自動車に持ち込み可能なポータブルオーディオシステムに、前記車載通信装置に通信接続可能なポータブル通信手段と、ポータブルスピーカと、前記ポータブル通信手段と前記車載通信装置とが通信接続しているときに、オーディオデータから、当該オーディオデータが表すサウンドの低域の周波数成分をカットしたサウンドを表す主オーディオデータと、当該オーディオデータが表すサウンドの中高域の周波数成分をカットしたサウンドを表す副オーディオデータを生成し、主オーディオデータが表すサウンドを前記ポータブルスピーカから出力し、前記副オーディオデータを前記通信接続を介して前記車載通信装置に送信する出力制御手段とを備えたものである。
【０００９】
また、前記課題達成のために、本発明は、車載通信装置と車載スピーカとを備えると共に前記車載通信装置で受信したオーディオデータのサウンドを前記車載スピーカから出力可能なカーオーディオシステムが搭載された自動車に持ち込み可能なポータブルオーディオシステムに、前記車載通信装置に通信接続可能なポータブル通信手段と、ポータブルスピーカと、前記ポータブル通信手段と前記車載通信装置とが通信接続しているときに、オーディオデータから、当該オーディオデータが表すサウンドの所定周波数以下の周波数成分を減衰したサウンドを表す主オーディオデータと、当該オーディオデータが表すサウンドの所定周波数超の周波数成分を減衰したサウンドを表す副オーディオデータを生成し、主オーディオデータが表すサウンドを前記ポータブルスピーカから出力し、前記副オーディオデータを前記通信接続を介して前記カーオーディオシステムの前記通信装置に送信する出力制御手段とを備えたものである。
【００１０】
ここで、このようなポータブルオーディオシステムに、マイクロフォンと、前記通信接続を介して所定のテスト用オーディオデータを送信すると共に、前記車載スピーカから出力されるテスト用オーディオデータが表すサウンドをマイクロフォンでピックアップして、前記テスト用オーディオデータと当該ピックアップしたサウンドとに基づいて前記カーオーディオシステムの再生周波数特性を検出し、検出した再生周波数特性に応じて、当該ポータブルオーディオシステムにおいて前記ポータブルスピーカから出力した場合よりも、良好に前記カーオーディオシステムが出力できる低域成分のみが前記所定周波数以下の可聴周波数領域に含まれるように前記所定周波数を設定する設定手段とを備えるようにしてもよい。
【００１１】
また、以上のポータブルオーディオシステムは、前記出力制御手段において、前記通信手段と前記ポータブルオーディオシステムの通信装置とが通信接続していないときには、前記オーディオデータが表すサウンドの全域を前記スピーカから出力するように構成することが好ましい。
【００１２】
また、以上のポータブルオーディオシステムは、当該ポータブルオーディオシステムに、マイクロフォンと、前記マイクロフォンでピックアップしたサウンドに基づいて、前記車載スピーカから出力されるサウンドの、前記ポータブルスピーカから出力されるサウンドに対する遅延時間を算出する遅延時間算出手段とを備えると共に、前記出力制御手段において、主オーディオデータが表すサウンドを、前記遅延時間算出手段が算出した前記遅延時間分、遅延させて前記スピーカから出力するように構成してもよい。
【００１３】
また、以上のポータブルオーディオシステムに、前記オーディオデータを出力するオーディオソースを備えたり、外部機器から前記オーディオデータを受信する第２通信手段を備えるようにしてもよい。
【００１４】
また、併せて、本発明は、以上のポータブルオーディオシステムと前記カーオーディオシステムを備えた複合オーディオシステムも提供する。
以上のようなポータブルオーディオシステムによれば、ポータブルであることのサイズ上の制限から出力音域が小さくなってしまう低域成分を、自身のスピーカに代えて、一般的に比較的低域の出力性能の高いカーオーディオシステムの車載スピーカから出力することができるようになる。また、一方で、カーオーディオシステムの中高域の出力性能が低い場合でも、当該出力性能に依存せずに、ポータブルオーディオシステムの出力性能で中高域の出力を行うことができる。
【発明の効果】
【００１５】
以上のように、本発明によれば、ユーザは、自動車に搭載されたオーディオシステムを利用して、ポータブルな装置を音源とする楽曲を、より高音質に聴取することができるようになる。
【図面の簡単な説明】
【００１６】
【図１】本発明の実施形態に係るカーオーディオシステムとポータブルオーディオシステムの構成を示すブロック図である。
【図２】本発明の実施形態に係るカーオーディオシステムとポータブルオーディオシステムの配置例を示す図である。
【図３】本発明の実施形態に係るポータブルオーディオシステムにおける主オーディオデータと副オーディオデータの生成法を示す図である。
【図４】本発明の実施形態に係るポータブルオーディオシステムの他の構成例を示すブロック図である。
【発明を実施するための形態】
【００１７】
以下、本発明の実施形態について説明する。
図１に、本実施形態に係るポータブルオーディオシステム１の構成を示す。
本実施形態に係るポータブルオーディオシステム１は、ユーザによって、カーオーディオシステム２が搭載されている自動車の車内に持ち込まれ使用されるシステムである。
ここで、自動車に搭載されているカーオーディオシステム２は、本体装置２１と複数の車載スピーカ２２を備えており、図２ａ、ｂに示すように、本体装置２１は自動車のダッシュボード内に設置されており、車載スピーカ２２は自動車の左右のドア等に設置されている。
【００１８】
また、カーオーディオシステム２の本体装置２１は、ラジオやディスクプレイヤなどのオーディオデータを出力する車載音源装置２１１、Bluetooth（登録商標）などの近距離無線通信を行う近距離無線通信装置２１２（車載通信装置）、セレクタ２１３、再生処理部２１４、オーディオアンプ２１５、制御部２１６、表示装置２１７、入力装置２１８を備えている。
【００１９】
そして、制御部２１６は、入力装置２１８に対するユーザ操作に応じて、車載音源装置２１１と近距離無線通信装置２１２のうちの一つを現用音源として設定する。そして、現用音源としていずれかの車載音源装置２１１が設定されているときには、当該車載音源装置２１１が出力するオーディオデータをセレクタ２１３に再生処理部２１４に出力させ、再生処理部２１４はセレクタ２１３から出力されたオーディオデータを再生してオーディオアンプ２１５を介して車載スピーカ２２に出力する。また、制御部２１６は、現用音源として近距離無線通信装置２１２は設定されているときには、近距離無線通信装置２１２で受信したオーディオデータをセレクタ２１３に再生処理部２１４に出力させ、再生処理部２１４はセレクタ２１３から出力されたオーディオデータを再生してオーディオアンプ２１５を介して車載スピーカ２２に出力する。
【００２０】
次に、ポータブルオーディオシステム１は、メインユニット１１と、各々内蔵アンプを備えた複数のポータブルスピーカ１２を備えており、図２ａ、ｂに示すように、メインユニット１１は自動車のセンタコンソールのカップホルダ等に載置されて使用され、ポータブルスピーカ１２は、簡易に取り外し可能なように吸盤による吸着等によって自動車のダッシュボードのトップ面やフロントウインドシールドに固定させた状態で使用される。
【００２１】
また、ポータブルオーディオシステム１のメインユニット１１は、Bluetooth(登録商標)等の近距離無線通信を行う近距離無線通信装置１１０１（ポータブル通信手段）、ポータブルスピーカ１２にオーディオ信号を無線伝送する無線伝送装置１１０２、アンプ１１０３、内蔵スピーカ１１０４、デジタルオーディオプレイヤやディスクプレイヤ等の楽曲のオーディオデータを出力するオーディオソース１１０５、所定のオーディオデータをテストデータとして記憶しているテストデータ記憶部１１０６、出力音データ生成部１１０７、解析部１１０８、マイクロフォン１１０９、コントローラ１１１０、操作部１１１１を備えている。
【００２２】
ポータブルオーディオシステム１は、動作モードとして単体でオーディオソース１１０５のオーディオデータの再生出力を行う単独楽曲再生モードと、カーオーディオシステム２を利用しながらオーディオソース１１０５のオーディオデータの再生出力を行う車内楽曲再生モードと、出力特性設定モードとを備えている。
【００２３】
また、ポータブルオーディオシステム１のメインユニット１１の近距離無線通信装置１１０１は、自動車の車内に持ち込まれると、自動的にまたはユーザ操作に応じて、カーオーディオシステム２の本体装置２１の近距離無線通信装置２１２との間の通信接続を確立する。
【００２４】
さて、メインユニット１１のコントローラ１１１０は、起動すると、動作モードとして単独楽曲再生モードを設定する。そして、メインユニット１１のコントローラ１１１０は、メインユニット１１の近距離無線通信装置１１０１と本体装置２１の近距離無線通信装置２１２との間の通信接続が確立すると動作モードとして車内楽曲再生モードを設定し、その後、操作部１１１１に対するユーザの出力特性設定指示操作が発生すると、動作モードを出力特性設定モードに切り替えて、後述する出力特性設定処理を行い、出力特性設定処理が終了したならば、動作モードを車内楽曲再生モードに切り替える。また、メインユニット１１のコントローラ１１１０は、メインユニット１１の近距離無線通信装置１１０１と本体装置２１の近距離無線通信装置２１２との間の通信接続が切断されたときには、動作モードを単独楽曲再生モードに切り替える。
【００２５】
ここで、動作モードが単独楽曲再生モードである期間中、メインユニット１１のコントローラ１１１０は、操作部１１１１に対するユーザ操作に応じて、オーディオソース１１０５にユーザによって選定された楽曲のオーディオデータを出力させる制御を行う。
【００２６】
また、動作モードが単独楽曲再生モードである期間中、出力音データ生成部１１０７は、オーディオソース１１０５が出力したオーディオデータを予めユーザによってイコライザ設定として設定されているゲイン特性で調整したオーディオデータが表すサウンドを、アンプ１１０３を介して内蔵スピーカ１１０４から出力すると共に、無線伝送装置１１０２を介してポータブルスピーカ１２に無線伝送しポータブルスピーカ１２から出力する。
【００２７】
次に、動作モードが車内楽曲再生モードである期間中、メインユニット１１のコントローラ１１１０は、操作部１１１１に対するユーザ操作に応じて、オーディオソース１１０５にユーザによって選定された楽曲のオーディオデータを出力させる制御を行う。
【００２８】
また、動作モードが車内楽曲再生モードである期間中、出力音データ生成部１１０７は、オーディオソース１１０５が出力したオーディオデータから、設定されている出力特性に従った、主オーディオデータと副オーディオデータとの２系統のオーディオデータを生成する。
【００２９】
出力特性は、遅延特性とゲイン特性を表すものであり、当該出力特性は、主オーディオデータと副オーディオデータとのそれぞれについて設定されている。そして、出力音データ生成部１１０７は、オーディオソース１１０５が出力したオーディオデータに、主オーディオデータに対して設定されている出力特性の遅延特性が表す遅延を与えると共に、主オーディオデータに対して設定されている出力特性のゲイン特性に従ったゲインで周波数特性を変更して、主オーディオデータを生成する。また、同様に、出力音データ生成部１１０７は、オーディオソース１１０５が出力したオーディオデータに、副オーディオデータに対して設定されている出力特性の遅延特性が表す遅延を与えると共に、副オーディオデータに対して設定されている出力特性のゲイン特性に従ったゲインで周波数特性を変更して、副オーディオデータを生成する。
【００３０】
そして、出力音データ生成部１１０７は、生成した主オーディオデータが表すサウンドを、アンプ１１０３を介して内蔵スピーカ１１０４から出力すると共に、無線伝送装置１１０２を介してポータブルスピーカ１２に無線伝送し、ポータブルスピーカ１２から出力する。
【００３１】
また、出力音データ生成部１１０７は、生成した副オーディオデータを近距離無線通信装置１１０１を介して、カーオーディオシステム２の本体装置２１に送信する。
ここで、ユーザは、ポータブルオーディオシステム１を自動車の車内で利用する場合、カーオーディオシステム２の入力装置２１８を操作して、近距離無線通信装置２１２を現用音源として本体装置２１に設定する。そして、上述のように、近距離無線通信装置２１２が現用音源として設定されている場合、ポータブルオーディオシステム１のメインユニット１１から送信された副オーディオデータが表すサウンドは本体装置２１によって車載スピーカ２２に出力される。
【００３２】
次に、上述のようにポータブルオーディオシステム１のメインユニット１１のコントローラ１１１０が、動作モードが出力特性設定モードに切り替えられたときに行う出力特性設定処理について説明する。
【００３３】
なお、ユーザは、カーオーディオシステム２の入力装置２１８を操作して、近距離無線通信装置２１２を現用音源として本体装置２１に設定した上で、動作モードを出力特性設定モードに切り替える。
【００３４】
さて、出力特性設定処理において、コントローラ１１１０は、出力音データ生成部１１０７の、主オーディオデータの出力特性と副オーディオデータの出力特性とを予め定めておいた基本の出力特性に設定する。
【００３５】
ここで、主オーディオデータの基本の出力特性は、遅延特性が遅延無しを表す特性であり、ゲイン特性が所定周波数fth以下の周波数成分をおおよそカットする特性である。
ここで、イコライザ設定としてフラットなゲイン特性を設定して単独楽曲再生モードでポータブルオーディオシステム１を用いたときの、ポータブルオーディオシステム１の再生周波数特性を基準再生周波数特性として、所定周波数fthは、基準再生周波数特性において、それより低周波数の領域で、音圧レベル（SPL)がフラットとならずに低周波数側に向かって小さくなっていく周波数を設定する。
【００３６】
すなわち、たとえば、基準再生周波数特性が図３ａに示すものであった場合には、図３ｂに示すように所定周波数fthと、主オーディオデータの基本の出力特性のゲイン特性を設定する。
【００３７】
なお、一般的には、ポータブルオーディオシステム１の内蔵スピーカ１１０４やポータブルスピーカ１２は、中高域については良好なゲインを実現できるが、サイズ上の制限から、低域のゲインが小さくならざるを得ないので、所定周波数fthは、中域と低域の境界周辺の周波数（たとえば、200Hzから300Hzの間の周波数）となる。
【００３８】
次に、副オーディオデータの基本の出力特性は、遅延特性が遅延無しを表す特性であり、ゲイン特性が図３ｃに示すように、fth以上の周波数成分をおおよそカットする特性である。
【００３９】
ここで、一般的には、安価なカーオーディオシステム２では、車載スピーカ２２として、低域の再生音圧を重視した設定のフルレンジスピーカのみが用いられることが多く、この場合、カーオーディオシステム２の単体での再生周波数特性は図３ｄに示すように低域に比べ中高域で音圧レベル（SPL)が小さくなる。
【００４０】
また、以上のように出力音データ生成部１１０７の、主オーディオデータの出力特性と副オーディオデータの出力特性とを基本の出力特性に設定した状態で、車内楽曲再生モードで、オーディオソース１１０５の楽曲のオーディオデータのサウンドを、ポータブルオーディオシステム１とカーオーディオシステム２とで上述のように内蔵スピーカ１１０４とポータブルスピーカ１２と車載スピーカ２２から同音量で出力することにより、全体の再生周波数特性として、図３ｅに示すように、低中高域に渡ってフラットな再生周波数特性を実現することができる。
【００４１】
また、中高域に比べ低域において良質な出力を行うことのできるカーオーディオシステム２を低域の出力のみに用い、低域に比べ中高域に良質な出力を行うことのできるポータブルオーディオシステム１を中高域の出力のみに用いてオーディオを出力するので、全体として良質なオーディオ出力を行うことができる。
【００４２】
さて、コントローラ１１１０は、出力特性設定処理において、出力音データ生成部１１０７の、主オーディオデータの出力特性と副オーディオデータの出力特性とを基本の出力特性に設定したならば、次に、出力音データ生成部１１０７に、テストデータ記憶部１１０６にテストデータとして記憶されているオーディオデータからの、設定されている主オーディオデータの出力特性に従った主オーディオデータの生成と、アンプ１１０３を介した内蔵スピーカ１１０４と無線伝送装置１１０２を介したポータブルスピーカ１２への出力を行わせると共に、解析部１１０８に、マイクロフォン１１０９から入力する音声に基づいた、出力音データ生成部１１０７からの主オーディオデータの出力から、主オーディオデータが表すサウンドのマイクロフォン１１０９への入力までの時間を第１の遅延時間として算出させると共に、解析部１１０８に、マイクロフォン１１０９から入力する音声のfth以上の可聴領域の各周波数成分の平均音量を第１音量として算出させる。
【００４３】
そして、次に、コントローラ１１１０は、出力音データ生成部１１０７に、テストデータ記憶部１１０６にテストデータとして記憶されているオーディオデータからの、設定されている副オーディオデータの出力特性に従った副オーディオデータの生成と、近距離無線通信装置１１０１を介したカーオーディオシステム２の本体装置２１に送信を行わせると共に、解析部１１０８に、マイクロフォン１１０９から入力する音声に基づいた、出力音データ生成部１１０７からの副オーディオデータの出力から、副オーディオデータが表すサウンドのマイクロフォン１１０９への入力までの時間を第２の遅延時間として算出させると共に、解析部１１０８に、マイクロフォン１１０９から入力する音声のfth以下の可聴領域の各周波数成分の平均音量を第２音量として算出させる。
【００４４】
そして、コントローラ１１１０は、第２の遅延時間から第１の遅延時間を差し引いた時間を遅延として表すように、主オーディオデータの出力特性の遅延特性を更新する。
また、コントローラ１１１０は、第１音量と第２音量から、マイクロフォン１１０９で検出される内蔵スピーカ１１０４とポータブルスピーカ１２のfth以上の可聴領域の各周波数成分の平均音量が、おおよそマイクロフォン１１０９で検出される車載スピーカ２２のfth以下の可聴領域の各周波数成分の平均音量と等しくなるように、アンプ１１０３とポータブルスピーカ１２の内蔵アンプのゲイン(ボリューム）を設定する。
【００４５】
次に、コントローラ１１１０は、次に、出力音データ生成部１１０７に、テストデータ記憶部１１０６にテストデータとして記憶されているオーディオデータからの、設定されている主オーディオデータの出力特性に従った主オーディオデータの生成と、設定されている副オーディオデータの出力特性に従った副オーディオデータの生成と、主オーディオデータのアンプ１１０３を介した内蔵スピーカ１１０４と無線伝送装置１１０２を介したポータブルスピーカ１２への出力と、副オーディオデータの近距離無線通信装置２１２を介したカーオーディオシステム２の本体装置２１に送信を行わせると共に、解析部１１０８に、テストデータとマイクロフォン１１０９から入力する音声に基く再生周波数特性の解析を行わせる。
【００４６】
そして、コントローラ１１１０は、解析部１１０８が解析した再生周波数特性に基づいて、車内楽曲再生モードで、オーディオソース１１０５の楽曲のオーディオデータをポータブルオーディオシステム１とカーオーディオシステム２とで上述のように内蔵スピーカ１１０４とポータブルスピーカ１２と車載スピーカ２２からオーディオを出力したときの全体の再生周波数特性ができるだけフラットな再生周波数特性となるように、または、当該全体の再生周波数特性が予めユーザによってイコライザ設定などとして設定されている再生周波数特性となるように、主オーディオデータの出力特性のゲイン特性と副オーディオデータの出力特性のゲイン特性とを調整し、出力特性設定処理を終了し、動作モードを車内楽曲再生モードに復帰する。
【００４７】
以上、本発明の実施形態について説明した。
ところで、以上の実施形態では、ポータブルオーディオシステム１にポータブルスピーカ１２と内蔵スピーカ１１０４とを設けたが、これは、ポータブルスピーカ１２と内蔵スピーカ１１０４との一方のみをポータブルオーディオシステム１に設けるようにしてもよい。
【００４８】
また、出力特性設定モードにおいてユーザがマイクロフォン１１０９を自身の耳の近くに配置して使用できるように、以上の実施形態におけるマイクロフォン１１０９はケーブルによりメインユニット１１に接続されるものとすることも好ましい。
【００４９】
また、以上の実施形態では、ポータブルスピーカ１２と内蔵スピーカ１１０４に同じ主オーディオデータを出力するものとしたが、これは、出力音データ生成部１１０７において、主オーディオデータからポータブルスピーカ１２に出力するオーディオデータと内蔵スピーカ１１０４に出力するオーディオデータとの２系統のオーディオデータを、各系統のオーディオデータが出力されるスピーカの周波数特性に適した系統毎に異なるゲイン特性のゲインを与えて生成し、それぞれ、ポータブルスピーカ１２と内蔵スピーカ１１０４に出力するようにしてもよい。
【００５０】
また、以上の実施形態では、ポータブルオーディオシステム１においてオーディオソース１１０５をメインユニット１１が備えるものとして説明したが、ポータブルミュージックプレイヤ等の外部のモバイル端末を有線または無線によりメインユニット１１に接続し、メインユニット１１において接続されたモバイル端末をオーディオソース１１０５として使用するようにしてもよい。
【００５１】
また、以上の実施形態は、主オーディオデータの基本の出力特性のゲイン特性と、副オーディオデータの基本の出力特性のゲイン特性として予め定めたゲイン特性を用いたが、これらのゲイン特性は上述した出力特性設定処理において算定し設定するようにしてもよい。
【００５２】
すなわち、この場合には、コントローラ１１１０は、出力音データ生成部１１０７に、テストデータ記憶部１１０６にテストデータとして記憶されているオーディオデータをそのまま、近距離無線通信装置１１０１を介してカーオーディオシステム２の本体装置２１に送信させると共に、解析部１１０８にテストデータとマイクロフォン１１０９から入力する音声に基づいた、カーオーディオシステム２の再生周波数特性の解析を行わせる。そして、カーオーディオシステム２の再生周波数特性に応じて周波数fthを設定する。ここで、周波数fthは、図３ｆに示すように、ポータブルオーディオシステム１を単体で用いたときの再生周波数特性である基準再生周波数特性Pの音圧レベル（SPL)がおよそフラットとなる周波数領域FB未満の周波数であって、基準再生周波数特性の音圧レベル（SPL)とカーオーディオシステム２の単体での再生周波数特性Cの最大音圧レベル（SPL)を揃えたときに、音圧レベル（SPL)が等しくなる周波数を周波数fthとすること等により設定する。
【００５３】
そして、主オーディオデータの基本の出力特性のゲイン特性を、おおよそ所定周波数fth以下の周波数成分をカットする特性に設定し、副オーディオデータの基本の出力特性のゲイン特性を、おおよそ所定周波数fth以上の周波数成分をカットする特性に設定する。
【００５４】
また、以上の実施形態は、メインユニット１１をモバイル端末を接続可能に構成すると共に、メインユニット１１の上述した出力特性設定処理を行う機能をモバイル端末側に設けるようにしてもよい。
【００５５】
すなわち、たとえば、図４に示すように、ポータブルオーディオシステム１とモバイル端末３を構成してもよい。
図４に示したポータブルオーディオシステム１は、図１に示したメインユニット１１のオーディオソース１１０５とテストデータ記憶部１１０６と解析部１１０８とマイクロフォン１１０９を省略し、代わりに、モバイル端末３と無線通信を行う無線通信装置１１１２（第２通信手段）をメインユニット１１に設けたものである。
【００５６】
また、図４に示したモバイル端末３は、スマートフォンやタブレットやポータブルミュージックプレイヤ等のユーザによって携帯される端末であり、マイクロフォン３１、記憶装置３２、無線通信装置３３、入力デバイスや表示デバイスなどの各種の周辺デバイス３４、モバイル端末３のオペレーディングシステムであるモバイルＯＳ３５を備えている。また、モバイルＯＳ３５上で稼働するアプリケーションとしてプレイヤアプリケーション３６（プレイヤAPP３６）と、解析アプリケーション３７（解析APP３７）と、その他のアプリケーション３８（他APP３８）を備えている。また、記憶装置３２には、上述したテストデータと、楽曲の楽曲データが記憶されている。
【００５７】
このような構成において、モバイル端末３の無線通信装置３３とメインユニット１１の無線通信装置１１１２との通信が確立しているときに、モバイル端末３のプレイヤアプリケーション３６は、記憶装置３２に記憶されている楽曲データを再生したオーディオデータを無線通信装置３３を介してメインユニット１１に送信する。
【００５８】
一方、メインユニット１１において、車内楽曲再生モードにあるとき、出力音データ生成部１１０７は、無線通信装置１１１２で受信したオーディオデータを、図１に示した構成におけるオーディオソース１１０５が出力したオーディオデータに代えて用いて上述した動作を行う。
【００５９】
また、モバイル端末３の無線通信装置３３とメインユニット１１の無線通信装置１１１２との通信が確立しているときに、モバイル端末３の解析アプリケーション３７は、出力特性調整を指示する所定のユーザ操作に応じて、記憶装置３２に記憶されているテストデータとモバイル端末３のマイクロフォン３１を用いた出力特性設定処理を、メインユニット１１のコントローラ１１１０と協調して行う。
【００６０】
すなわち、出力特性調整を指示するユーザ操作が発生したならば、モバイル端末３の解析アプリケーション３７は、メインユニット１１のコントローラ１１１０に、出力音データ生成部１１０７の、主オーディオデータの出力特性と副オーディオデータの出力特性とを基本の出力特性に設定させる。そして、記憶装置３２にテストデータとして記憶されているオーディオデータをメインユニット１１に送信し、メインユニット１１のコントローラ１１１０を介して、出力音データ生成部１１０７に、送信したオーディオデータからの主オーディオデータの出力特性に従った主オーディオデータの生成と、内蔵スピーカ１１０４とポータブルスピーカ１２への出力と、送信したオーディオデータからの副オーディオデータの出力特性に従った副オーディオデータの生成と、カーオーディオシステム２の車載スピーカ２２への出力を、順次行わせ、マイクロフォン３１で検出される各周波数成分の音量と、内蔵スピーカ１１０４とポータブルスピーカ１２への出力に対する車載スピーカ２２の出力の遅延とを検出し、メインユニット１１のコントローラ１１１０に、主オーディオデータの出力特性の遅延特性を検出した遅延を表すように更新させると共に、メインユニット１１のコントローラ１１１０に、マイクロフォン３１で検出される内蔵スピーカ１１０４とポータブルスピーカ１２のfth以上の可聴領域の各周波数成分の平均音量量と車載スピーカ２２のfth以下の可聴領域の各周波数成分の平均音量とが等しくなるように、アンプ１１０３とポータブルスピーカ１２の内蔵アンプのゲイン(ボリューム）を設定させる。
【００６１】
また、次に、モバイル端末３の解析アプリケーション３７は、記憶装置３２にテストデータとして記憶されているオーディオデータをメインユニット１１に送信し、メインユニット１１のコントローラ１１１０を介して、出力音データ生成部１１０７に、送信したオーディオデータからの主オーディオデータの出力特性に従った主オーディオデータの生成と、内蔵スピーカ１１０４とポータブルスピーカ１２への出力と、送信したオーディオデータからの副オーディオデータの出力特性に従った副オーディオデータの生成と、カーオーディオシステム２の車載スピーカ２２への出力を行わせると共に、テストデータとモバイル端末３のマイクロフォン３１から入力する音声に基く再生周波数特性の解析を行い、全体の再生周波数特性ができるだけフラットな再生周波数特性となるように、または、当該全体の再生周波数特性が予めユーザによってイコライザ設定などとして設定されている再生周波数特性となるように、メインユニット１１のコントローラ１１１０を介して、出力音デルタ生成部の主オーディオデータの出力特性のゲイン特性と副オーディオデータの出力特性のゲイン特性とを調整する。
【符号の説明】
【００６２】
１…ポータブルオーディオシステム、２…カーオーディオシステム、３…モバイル端末、１１…メインユニット、１２…ポータブルスピーカ、２１…本体装置、２２…車載スピーカ、３１…マイクロフォン、３２…記憶装置、３３…無線通信装置、３４…周辺デバイス、３５…モバイルＯＳ、３６…プレイヤアプリケーション、３７…解析アプリケーション、２１１…車載音源装置、２１２…近距離無線通信装置（車載通信装置）、２１３…セレクタ、２１４…再生処理部、２１５…オーディオアンプ、２１６…制御部、２１７…表示装置、２１８…入力装置、１１０１…近距離無線通信装置（ポータブル通信手段）、１１０２…無線伝送装置、１１０３…アンプ、１１０４…内蔵スピーカ、１１０５…オーディオソース、１１０６…テストデータ記憶部、１１０７…出力音データ生成部、１１０８…解析部、１１０９…マイクロフォン、１１１０…コントローラ、１１１１…操作部、１１１２…無線通信装置（第２通信手段）。
【図１】
2019186772.tif 000003
【図２】
2019186772.tif 000004
【図３】
2019186772.tif 000005
【図４】
2019186772.tif 000006